(57)【要約】    【課題】  サーバ側からのアクションが生じた場合に、映像・音声等を迅速に端末に配信することのできる通信端末及びその動作処理方法、並びにプログラム及び記憶媒体を提供することにある。    【解決部】  通信端末１００は、電話網２００とネットワーク網３００を介して、ライブカメラサーバ４００や映像・音声蓄積サーバ５００等の映像・音声サーバに接続されている。テレビ機能及びアプリケーション機能付端末１００において、アプリケーション起動・実行情報登録部１３０は、アプリケーションＡ，Ｂの起動・実行情報とを夫々対応付けて登録し、アプリケーション起動部１５０は、取得した相手先電話番号に対応するアプリケーションＡ，Ｂの起動・実行情報に基づいて所定のアプリケーションＡ，Ｂを起動し、アプリケーション実行部１６０は、通信と同時に所定のアプリケーションＡ，Ｂを実行する。ネットワーク接続部１４０は、所定のアプリケーションＡ，Ｂをネットワーク網３００に接続してデータ通信する。【選択図】      図１
2005150972.tif 000002
【特許請求の範囲】
【請求項１】
相手先電話番号と通信端末を動作させるアプリケーションとの対応に関する情報とを対応付けて登録する登録手段と、
相手先のサーバからの着信に応じて相手先電話番号を取得する相手先電話番号取得手段と、
前記相手先のサーバとの通信にともなって、前記取得した相手先電話番号に対応するアプリケーションを起動するアプリケーション起動手段とを備えることを特徴とする通信端末。
【請求項２】
相手先のサーバからの着信に応じて相手先電話番号を取得する相手先電話番号取得し、
予め登録された相手先電話番号と通信端末を動作させるアプリケーションとの対応に関する情報に基づいて、前記取得した相手先電話番号に対応するアプリケーションを起動することを特徴とする通信端末の動作処理方法。
【請求項３】
請求項２記載の動作処理方法を実行するためのプログラム。
【請求項４】
請求項３記載のプログラムを記憶した記憶媒体。
【発明の詳細な説明】
【技術分野】
【０００１】
本発明は、ネットワークを介して画像を配信する通信端末及びその動作処理方法、並びにプログラム及び記憶媒体に関する。
【背景技術】
【０００２】
従来、映像受信機能を有する端末側のプッシュキー操作において、電話網を経由してカメラ等が接続されているサーバにリクエストを行うことにより、映像・音声の配信が行われている（例えば、特許文献１）。  
【特許文献１】特開平１０−２７１１５６号公報
【発明の開示】
【発明が解決しようとする課題】
【０００３】
特許文献１の構成では、端末側からアクションを起こさなければ、映像・音声等は配信されない。
【０００４】
本発明の目的は、サーバ側からのアクションが生じた場合に、映像・音声等を迅速に端末に配信することのできる通信端末及びその動作処理方法、並びにプログラム及び記憶媒体を提供することにある。    
【課題を解決するための手段】
【０００５】
上記の目的を達成するために、請求項１記載の通信端末は、相手先電話番号と通信端末を動作させるアプリケーションとの対応に関する情報とを対応付けて登録する登録手段と、相手先のサーバからの着信に応じて相手先電話番号を取得する相手先電話番号取得手段と、前記相手先のサーバとの通信にともなって、前記取得した相手先電話番号に対応するアプリケーションを起動するアプリケーション起動手段とを備えることを特徴とする。
【０００６】
請求項２記載の通信端末の動作処理方法は、相手先のサーバからの着信に応じて相手先電話番号を取得する相手先電話番号取得し、予め登録された相手先電話番号と通信端末を動作させるアプリケーションとの対応に関する情報に基づいて、前記取得した相手先電話番号に対応するアプリケーションを起動することを特徴とする。
【０００７】
請求項３記載のプログラムは、請求項２記載の動作処理方法を実行することを特徴とする。
【０００８】
請求項４記載の記憶媒体は、請求項３記載のプログラムを記憶したことを特徴とする。
【発明の効果】
【０００９】
本発明によれば、相手先電話番号と通信端末を動作させるアプリケーションとの対応に関する情報とを対応付けて登録し、相手先のサーバからの着信に応じて相手先電話番号を取得し、相手先のサーバとの通信にともなって、取得した相手先電話番号に対応するアプリケーションを起動するので、サーバ側からのアクションが生じた場合に、映像・音声等を迅速に端末に配信することができる。
【発明を実施するための最良の形態】
【００１０】
以下、本発明の実施の形態を図面を参照しながら詳述する。
【００１１】
図１は、本発明の実施の形態に係る、映像・音声を受信し、制御要求を送信する通信端末、及び映像・音声を配信するサーバを含むシステムの概略構成を示す図である。
【００１２】
本発明の実施の形態に係る通信端末１００は、電話網２００又はインターネット等のネットワーク網３００（公衆回線）を介して、ライブ映像・音声を配信するマイク付のライブカメラサーバ４００や映像・音声蓄積サーバ５００に接続される。端末１００は表示画面１０１、及びテンキーや制御キーを有する。
【００１３】
図２は、図１における通信端末の内部構成を示す図である。
【００１４】
図２において、通信端末１００は、映像・音声受信部１２０と、電話番号取得部１２５と、アプリケーション起動・実行情報登録部１３０と、アプリケーション起動部１５０と、アプリケーション実行部１６０と、アプリケーションＡ及びアプリケーションＢを格納する格納部１７０と、ネットワーク接続部１４０とを備える。なお、上述した構成は、それぞれ通信端末内の所定のプログラムを実行することによって達成される。このプログラムは格納部１７０内に格納される。
【００１５】
映像・音声受信部１２０は、電話網２００を介して映像・音声データを受信する。電話番号取得部１２５は、電話網２００を介して発信されたライブカメラサーバ４００又は映像・音声蓄積サーバ５００等の発信元の相手先電話番号を取得する。
【００１６】
格納部１７０は、ネットワーク網３００を介して予めダウンロードされたアプリケーションＡ及びアプリケーションＢを格納する。
【００１７】
アプリケーション起動・実行情報登録部１３０は、後述する図４のような、アプリケーションＡ、Ｂの起動・実行情報、発信元の相手先電話番号、インターネット上の接続先アドレス番号を夫々対応付けて登録する。
【００１８】
アプリケーション起動部１５０は、サーバから電話の着信があると、その通信（映像・音声の受信）の開始に応じて、アプリケーション起動・実行情報登録部１３０より取得した相手先電話番号に対応するアプリケーションＡ,Ｂの起動・実行情報に基づいて所定のアプリケーションＡ,Ｂのいずれかを起動し、アプリケーション実行部１６０は、通信その起動したアプリケーションを実行する。ネットワーク接続部１４０は、実行中の所定のアプリケーションに基づいてネットワーク網３００に接続し、ユーザのキー操作に対応する制御情報を又は相手先電話番号に対応するサーバの状態等の情報を通信する。なお、本実施の形態において、サーバからの電話の着信の際、端末側のユーザが不在であった場合においても、同様に取得した相手先電話番号の発信に応じて対応するアプリケーションが起動する。
【００１９】
通信端末１００がライブカメラサーバ４００に接続されたときに起動されるアプリケーションの実行例としては、例えば後述する図５に示すものがある。通信端末１００が映像・音声蓄積サーバ５００に接続されたときに起動されるアプリケーションの実行例としては、例えば後述する図６に示すものがある。
【００２０】
図３は、図１のシステムによって実行される通信の内容を説明するのに用いられる図であり、（ａ）は、ライブカメラサーバ４００の場合を示し、（ｂ）は映像・音声蓄積サーバ５００の場合を示す。
【００２１】
図３において、ライブカメラサーバ４００、映像・音声蓄積サーバ５００は、それぞれ電話網２００を介して映像・音声データを配信し、ネットワーク網３００を介して図４に示した接続中のサーバのアドレス先にカメラ制御要求の受信・制御結果・状態通知の送信を行う。一方、通信端末１００は映像・音声受信機能によって接続中のサーバから映像・音声信号を受信する。そして、それらは通信端末側の映像・音声の受信と同時に実行されるアプリケーションからの要求に従ってネットワーク網３００を介して接続中のサーバから制御結果と状態通知の発信を行う。
【００２２】
そして、通信端末１００は、映像・音声サーバ４００，５００からの電話が着信の際に自動的にサーバの種類に応じてサーバの制御を行うためのアプリケーションが起動される。
【００２３】
図４は、上述した図２におけるアプリケーション起動・実行情報登録部１３０によって登録されるアプリケーション起動・実行情報の例を示す図である。
【００２４】
図４に示されるように、各サーバの電話番号は通信時に起動すべきアプリケーションと関連づけられる。また、アプリケーション起動後、各映像・音声サーバにネットワーク経由で接続するためのアドレスも電話番号と関連づけられて登録される。
【００２５】
アプリケーション起動・実行情報は、予めユーザが登録しておくか、各映像・音声サーバに特定のフォーマットで置かれた情報をネットワーク網３００経由で受信することによって登録する。
【００２６】
図５は、ライブカメラサーバ４００との通信において起動されるライブカメラサーバ制御用アプリケーションにしたがって表示される画面の一例を示す図である。
【００２７】
図５において、画面１０１には、ライブカメラサーバの名前１１１や、カメラのパン・チルト・ズーム等のカメラパラメータを表すインジケータ１１２等が表示される。
【００２８】
ユーザが通信端末のキーを操作すると、アプリケーションプログラムに基づいてキー入力を認識する。そして、例えば、現在の撮像範囲がどのように制御されるかを画面１０１上で表示するとともに、パン・チルト・ズームの制御要求を通信中のライブカメラサーバ４００に送信する。そして、ライブカメラサーバ４００による制御結果を受信して画面１０１上の表示に反映する。
【００２９】
図６は、図２の通信端末が映像・音声蓄積サーバ５００に接続したときに起動されるアプリケーションの実行例を示す図である。
【００３０】
図６において、映像・音声蓄積サーバ５００に発信又は映像・音声蓄積サーバ５００から着信したときに起動される映像・音声蓄積サーバ制御用アプリケーションの画面１１０には、映像・音声蓄積サーバの名前１１１や、再生される映像の時間軸を移動させるスライダ１１２等が表示される。
【００３１】
以上説明したように、本実施の形態によれば、端末装置においてサーバ側からの着信が生じた場合に、映像・音声等を迅速に端末に配信することができる。
【００３２】
本発明は、上述した実施の形態の機能を実現するソフトウェアのプログラムをコンピュータ又はＣＰＵに供給し、そのコンピュータ又はＣＰＵが該供給されたプログラムを読出して実行することによって、達成することができる。
【００３３】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００３４】
上記プログラムの形態は、オブジェクトコード、インタプリタにより実行されるプログラムコード、ＯＳ（オペレーティングシステム）に供給されるスクリプトデータ等の形態から成ってもよい。
【００３５】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００３６】
この場合、格納媒体から読出されたプログラムコード自体が上述した各実施の形態の機能を実現すると共に、そのプログラムコードを記憶した記憶媒体は本発明を構成する。
【００３７】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００３８】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【００３９】
更に、本発明は、前述した実施の形態を実現するソフトウェアのプログラムがネットワーク上のデータベース又はホームページから通信プログラムによりダウンロードされ、このプログラムを読出して実行することによって達成することができる。
【００４０】
上記プログラムは、クライアントコンピュータのブラウザを用いてインターネットのホームページに接続し、該ホームページからコンピュータプログラム自体、又は自動インストール機能を含む圧縮ファイルをハードディスク等の記憶媒体にダウンロードすることによっても供給することができる。
【００４１】
また、上記プログラムは、プログラムコードを暗号化した上で格納したＣＤ−ＲＯＭ等の記憶媒体をユーザに配布し、所定の条件をクリアしたユーザに対し、インターネットを介してホームページから暗号化を解く鍵情報をダウンロードさせ、その鍵情報を使用することにより暗号化されたプログラムコードを実行してコンピュータにインストールさせることによっても供給することができる。
【００４２】
上述した実施の形態の機能は、プログラムコードを複数のファイルに分割し、夫々のファイルを異なるホームページからダウンロードすることによっても実現することができる。即ち、本発明の機能処理をコンピュータで実現させるためのプログラムファイルを複数のユーザに対してダウンロードさせるＷＷＷサーバも、本発明を構成する。
【００４３】
また、上述した実施の形態の機能は、記憶媒体から読出されたプログラムが、コンピュータに挿入された機能拡張ボード又はコンピュータに接続された機能拡張ユニットに備えられたメモリに書込まれた後、そのプログラムの指示に基づき、その機能拡張ボード又は機能拡張ユニットに備えられたＣＰＵ又はＭＰＵ等が実際の処理の一部又は全部を実行することによっても実現することができる。
【図面の簡単な説明】
【００４４】
【図１】本発明の実施の形態に係る、映像・音声を受信し、制御要求を送信する通信端末、及び映像・音声を配信するサーバを含むシステムの概略構成を示す図である。
【図２】図１における通信端末の内部構成を示す図である。
【図３】図１のシステムによって実行される通信の内容を説明するのに用いられる図であり、（ａ）は、ライブカメラサーバ４００の場合を示し、（ｂ）は映像・音声蓄積サーバ５００の場合を示す。
【図４】図２におけるアプリケーション起動・実行情報登録部１３０によって登録されるアプリケーション起動・実行情報の例を示す図である。
【図５】ライブカメラサーバ４００との通信において起動されるライブカメラサーバ制御用アプリケーションにしたがって表示される画面の一例を示す図である。
【図６】図２の通信端末が映像・音声蓄積サーバ５００に接続したときに起動されるアプリケーションの実行例を示す図である。
【符号の説明】
【００４５】
１００  通信端末
２００  電話網
３００  ネットワーク網
４００  ライブカメラサーバ
５００  映像・音声蓄積サーバ
１２５  電話番号取得部
１２０  映像・音声受信部
１３０  アプリケーション起動・実行情報登録部
１４０  ネットワーク接続部
１５０  アプリケーション起動部
１６０  アプリケーション実行部
【図１】
2005150972.tif 000003
【図２】
2005150972.tif 000004
【図３】
2005150972.tif 000005
【図４】
2005150972.tif 000006
【図５】
2005150972.tif 000007
【図６】
2005150972.tif 000008